(57)【要約】【課題】  ケーブル数を任意に拡張することが可能な光接続箱を提供する。【解決手段】  光接続箱１は、光接続箱本体２を備える。その光接続箱本体２は、複数の光ファイバケーブル３、４に対するケーブル導入出孔１０を複数有するとともに、光ファイバケーブル３、４から取り出した光ファイバ心線１５、１６を収容する内部空間を有する。また、光接続箱本体２は、取り外すことにより他の光接続箱本体２の内部空間との空間共有を可能とした開口部１２になる共有空間形成部１１を更に有する。また、光接続箱本体２は、ケーブル導入出孔１０を介して内部空間に存在する光ファイバケーブル３、４を固定するためのケーブル固定部１４を更に有する。【選択図】    図１
2006138886.tif 000002
【特許請求の範囲】
【請求項１】
複数の光ファイバケーブルに対するケーブル導入出孔を複数有するとともに、前記光ファイバケーブルから取り出した光ファイバ心線を収容する内部空間を有する箱状の光接続箱本体を備えた光接続箱であって、
前記光接続箱本体は、取り外すことにより他の光接続箱本体の内部空間との空間共有を可能とした開口部になる共有空間形成部を有する
ことを特徴とする光接続箱。
【請求項２】
請求項１に記載の光接続箱において、
前記光接続箱本体は、前記ケーブル導入出孔を介して前記内部空間に存在する前記光ファイバケーブルを固定するためのケーブル固定部を更に有する
ことを特徴とする光接続箱。
【発明の詳細な説明】
【技術分野】
【０００１】
本発明は、入力側の光ファイバケーブルを任意の本数の出力側の光ファイバケーブルに分岐する光接続箱に関する。
【背景技術】
【０００２】
光接続箱は、例えば、屋内配線における幹線ケーブルと横引きケーブルとの変換に使用されている。具体的には、ビル（建物）内で端末設備から各部屋への配線時に使用されている。ビル等の屋内配線において、端末設備から各フロア（階）へは多心ケーブルが使用されており、一括配線されている（縦幹線）。また、各フロア（階）から各部屋へは、部屋数などが異なるため、縦幹線から必要数を取り出して少心ケーブルで配線されている。光接続箱は、多心ケーブルと少心ケーブルとの変換用に使用されている。
【０００３】
光接続箱は、その内部に入力側の光ファイバケーブルから取り出された光ファイバ心線と、出力側の光ファイバケーブルから取り出された光ファイバ心線との光ファイバ接続部が収容されている（例えば特許文献１、特許文献２参照）。
【０００４】
光接続箱は、入力側及び出力側の光ファイバケーブルのケーブル数が規格（サイズ等）により決まっており、例えば、一本の入力側の光ファイバケーブルを二本の出力側の光ファイバケーブルに分岐する場合には、専用に設計（入力１、出力２）した光接続箱を使用するようになっている。また、一本の入力側の光ファイバケーブルを三本以上の出力側の光ファイバケーブルに分岐する場合には、別途専用に設計した光接続箱を使用するようになっている。
【特許文献１】特開平１１−１１９０５１号公報
【特許文献２】特開２００１−１９４５３６号公報
【発明の開示】
【発明が解決しようとする課題】
【０００５】
ところで、上記従来の光接続箱にあっては、入力側の光ファイバケーブル数と出力側の光ファイバケーブル数とに応じて光接続箱を設計しなければならないという問題点を有している。従って、ケーブル数を任意に拡張することが困難であるという問題点を有している。
【０００６】
本発明は、上述した事情に鑑みてなされたもので、ケーブル数を任意に拡張することが可能な光接続箱を提供することを課題とする。
【課題を解決するための手段】
【０００７】
上記課題を解決するためになされた請求項１記載の本発明の光接続箱は、複数の光ファイバケーブルに対するケーブル導入出孔を複数有するとともに、前記光ファイバケーブルから取り出した光ファイバ心線を収容する内部空間を有する箱状の光接続箱本体を備えた光接続箱であって、前記光接続箱本体は、取り外すことにより他の光接続箱本体の内部空間との空間共有を可能とした開口部になる共有空間形成部を有することを特徴としている。
【０００８】
このような特徴を有する本発明によれば、同一構造の光接続箱本体を複数並列又は重ねて使用し、更に開口部を形成して光接続箱本体同士の内部空間を共有することにより、入力側の光ファイバケーブル数に対する出力側の光ファイバケーブル数を任意に拡張することが可能になる。
【０００９】
請求項２記載の本発明の光接続箱は、請求項１に記載の光接続箱において、前記光接続箱本体は、前記ケーブル導入出孔を介して前記内部空間に存在する前記光ファイバケーブルを固定するためのケーブル固定部を更に有することを特徴としている。
【００１０】
このような特徴を有する本発明によれば、光接続箱本体のケーブル固定部に入力側及び出力側の光ファイバケーブルが固定される。例えば、光ファイバケーブルに何らかの要因で外力が加わったとしても、光接続箱本体の内部空間に収容された光ファイバ心線同士の光ファイバ接続部に影響を来すことはない。ケーブル固定部としては、光接続箱本体との間に光ファイバケーブルを挟み込んで固定するような構造のクランプや、光接続箱本体とともに光ファイバケーブルを束ねて固定するバンド部材の使用が一例として挙げられるものとする。
【発明の効果】
【００１１】
請求項１に記載された本発明によれば、同一規格の光接続箱本体を複数使用することでケーブル数を任意に拡張することができるという効果を奏する。また、請求項２に記載された本発明によれば、ケーブル固定部により光ファイバケーブルを光接続箱本体に固定することができるという効果を奏する。
【発明を実施するための最良の形態】
【００１２】
以下、図面を参照しながら説明する。
図１は本発明の光接続箱の一実施の形態を示す模式的な平面図である。また、図２は光接続箱本体の図であり、（ａ）は平面図、（ｂ）は正面図、（ｃ）は側面図、（ｄ）はＡ部の拡大図、（ｅ）は開口部を形成した状態の側面図である。さらに、図３は光接続箱本体の斜視図、図４は共有空間形成部の形状例を示す図である。
【００１３】
図１において、引用符号１は、特に限定するものではないが、例えば、多心ケーブルと少心ケーブルとの変換用に使用される本発明の光接続箱を示している。その本発明の光接続箱１は、同一規格の光接続箱本体２、２を横に並べて構成されている。また、本発明の光接続箱１は、一本の入力側の光ファイバケーブル３を分岐して四本の出力側の光ファイバケーブル４となるように構成されている。本発明の光接続箱１は、同一規格の光接続箱本体２を複数使用することでケーブル数を任意に拡張することができるように構成されている。
【００１４】
光接続箱本体２は、矩形状で所定の大きさの底壁５と、その底壁５に垂直で底壁５の周縁から突出する側壁６〜９とを有している。すなわち、光接続箱本体２は、図示のような箱形の形状に形成されている。ここで、入力側の光ファイバケーブル３及び出力側の光ファイバケーブル４が導入導出される側を光接続箱本体２の正面とすると、その正面側の側壁６には、ケーブル導入出孔１０が二つ形成されている。
【００１５】
ケーブル導入出孔１０は、正面側の側壁６の上端から底壁５側に向けて切り欠くようなスリット形状に形成されている。また、ケーブル導入出孔１０は、特に限定するものではないが、少なくとも光ファイバケーブル二本分の幅を有する大きさに形成されている。正面側の側壁６の反対側に位置する背面側の側壁７は、ここでは特に何もなくフラットな面を有するように形成されている（一例であるものとする）。正面側の側壁６と背面側の側壁７は、平行に配置形成されている。
【００１６】
正面側の側壁６と背面側の側壁７に直交する側面側の平行な側壁８、９には、それぞれ共有空間形成部１１が形成されている。その共有空間形成部１１は、取り外すと開口部１２が形成される形状に構成されている。共有空間形成部１１は、その共有空間形成部１１を取り外して開口部１２の状態を形成するとともに、隣り合う光接続箱本体２も同様に開口部１２の状態を形成すると、光接続箱本体２の内部空間を共有することができるようになっている。
【００１７】
共有空間形成部１１は、例えば、小さな連結部１３によって開口部１２となる縁部に連結されており、例えば、工具などを用いて連結部１３を切断すると簡単に取り外しができるようになっている（一例であるものとする。着脱自在の構造にしてもよいものとする）。共有空間形成部１１の形状は、図４（ａ）に示されるような長方形状の他に、図４（ｂ）に示されるような正方形状（引用符号は１１′とする。開口部は１２′とする）、図４（ｃ）に示されるような円形状（引用符号は１１″とする。開口部は１２″とする）があるが、これは一例であり、上記内部空間を共有することができれば他の形状であっても当然によいものとする。
【００１８】
光接続箱本体２には、特に図示しないが、内部空間を覆う蓋体が従来同様の手段で取り付けられるようになっている。また、光接続箱本体２は、特に図示しないが、底壁５を貫通するネジ等で木板や鉄板、或いは壁に直接固定されるようになっている（固定方法は一例であるものとする）。
【００１９】
ケーブル導入出孔１０を介して光接続箱本体２の内部空間に存在する入力側の光ファイバケーブル３、出力側の光ファイバケーブル４は、ケーブル固定部１４によって固定されている。ケーブル固定部１４は、特に限定するものではないが、図中のネジ止めタイプの金属金具（Ω型のクランプ）の他に、インシュロック等のバンド部材でも適用可能であるものとする。
【００２０】
上記構成において、図１に示した本発明の光接続箱１は、右側の側壁９の共有空間形成部１１を取り外して開口部１２を形成した左側の光接続箱本体２と、左側の側壁９の共有空間形成部１１を取り外して開口部１２を形成した右側の光接続箱本体２とを横に並べて内部空間を共有化した状態に構成されており、左側の光接続箱本体２には、左側のケーブル導入出孔１０を介して入力側の光ファイバケーブル３が導入され、そして、ケーブル固定部１４によって入力側の光ファイバケーブル３が固定されている。また、同じく左側の光接続箱本体２には、右側のケーブル導入出孔１０を介して二本の出力側の光ファイバケーブル４が導出されている。一方、右側の光接続箱本体２には、右側のケーブル導入出孔１０を介して二本の出力側の光ファイバケーブル４が導出されている。四本の出力側の光ファイバケーブル４は、各ケーブル固定部１４によってそれぞれ左右の光接続箱本体２に固定されている。
【００２１】
入力側の光ファイバケーブル３から取り出された光ファイバ心線１５と、出力側の光ファイバケーブル４から取り出された光ファイバ心線１６との光ファイバ接続部１７は、共有化された内部空間に収容されている（光ファイバ接続部１７と余長部１８とを収容する既知構成の余長収容トレイを光接続箱本体２の内部に設けてもよいものとする）。
【００２２】
図１においては、入力側の光ファイバケーブル３から取り出された光ファイバ心線１５の一部が開口部１２を跨いで右側の光接続箱本体２の内部空間に引き出され、そして、その内部空間で出力側の光ファイバケーブル４から取り出された光ファイバ心線１６と接続されている。また、入力側の光ファイバケーブル３から取り出された光ファイバ心線１５の残りは、左側の光接続箱本体２の内部空間で出力側の光ファイバケーブル４から取り出された光ファイバ心線１６と接続されている。
【００２３】
尚、共有空間形成部１１を取り外して開口部１２を形成した光接続箱本体２を三つ以上横に並べることにより、入力側の光ファイバケーブル３及び出力側の光ファイバケーブル４のケーブル数を任意に拡張する構成の光接続箱や、光接続箱本体２を重ねて同様にケーブル数を任意に拡張する構成の光接続箱にしてもよいものとする。
【００２４】
以上、図１ないし図４を参照しながら説明してきたように、本発明の光接続箱１は、同一規格の光接続箱本体２を複数使用することでケーブル数を任意に拡張することができるという効果を奏する。
【００２５】
その他、本発明は本発明の主旨を変えない範囲で種々変更実施可能なことは勿論である。
【図面の簡単な説明】
【００２６】
【図１】本発明の光接続箱の一実施の形態を示す模式的な平面図である。
【図２】光接続箱本体の図であり、（ａ）は平面図、（ｂ）は正面図、（ｃ）は側面図、（ｄ）はＡ部の拡大図、（ｅ）は開口部を形成した状態の側面図である。
【図３】光接続箱本体の斜視図である。
【図４】共有空間形成部の形状例を示す図であり、（ａ）は図２と同じ長方形状の図、（ｂ）は正方形状の図、（ｃ）は円形状の図である。
【符号の説明】
【００２７】
１  光接続箱
２  光接続箱本体
３  入力側の光ファイバケーブル
４  出力側の光ファイバケーブル
５  底壁
６〜９  側壁
１０  ケーブル導入出孔
１１  共有空間形成部
１２  開口部
１３  連結部
１４  ケーブル固定部
１５、１６  光ファイバ心線
１７  光ファイバ接続部
１８  余長部
【図１】
2006138886.tif 000003
【図２】
2006138886.tif 000004
【図３】
2006138886.tif 000005
【図４】
2006138886.tif 000006